(57)【特許請求の範囲】
【請求項１】
可撓性を有する容器の口部に装着されるキャップであって、
前記容器の口部に装着されるキャップ本体と、キャップ本体に形成された注出口と、注出口を開閉する蓋とが設けられ、
前記キャップ本体の内部に中栓部材が取付けられ、この中栓部材には、容器の内部に通じる吐出孔が形成され、
前記中栓部材の吐出孔を開閉可能な円形の弁体を有する逆止弁が、キャップ本体と中栓部材との間の空間に収容され、
前記中栓部材は、吐出孔が設けられた円板状底部と、この円板状底部の外周から筒状上方に延びる筒状側壁部とを有する有底筒形状に形成され、
前記逆止弁は、前記弁体と、この弁体の外周部から周方向に沿いながら斜め上方に延びて弁体を中栓部材の吐出孔周壁部に密着させる方向に付勢する複数の弾性腕部とを有し、
前記逆止弁の弁体に、前記中栓部材の吐出孔に嵌り込む弁体本体部と、この弁本体部の外周側に鍔状に延びて前記中栓部材の吐出孔の周壁部上面に密接可能な鍔状部と、前記鍔状部よりさらに外方に延びる外延部と、が形成され、
前記外延部から周方向に沿って斜め上方に延びるように弾性腕部が形成され、
前記外延部の外周および前記弾性腕部が前記中栓部材の筒状側壁部内周面に沿う形状に形成されていることを特徴とするキャップ。
【請求項２】
前記中栓部材の筒状側壁部が円板状底部から離れるにつれて筒状側壁部間の直径が大きくなる逆円錐台形状に形成されていることを特徴とする請求項１に記載のキャップ。
【請求項３】
前記逆止弁の弾性腕部が、前記中栓部材の筒状側壁部に沿うように上方ほど逆止弁の径方向に広がる形状に形成されていることを特徴とする請求項２に記載のキャップ。
【請求項４】
前記外延部を平面視した際に、弾性腕部に対応する箇所が切欠かれて容器内の内容物が通過可能な通路兼用隙間が形成されていることを特徴とする請求項１に記載のキャップ。
【請求項５】
前記キャップ本体は、前記注出口を形成する注出筒部が突出される天面部と、この天面部から下方に筒状に垂下される筒状壁部と、を有し、
前記筒状壁部の内周に、前記中栓部材の筒状側壁部が周方向で係合された状態で装着されていることを特徴とする請求項１〜４の何れか１項に記載のキャップ。
【請求項６】
前記キャップ本体または前記逆止弁に、逆止弁の上昇位置を規制する規制部が形成されていることを特徴とする請求項１〜５の何れか１項に記載のキャップ。
【請求項７】
前記逆止弁の弁体が、前記中栓部材の吐出孔より容器の内部に突出する逆円錐台形状とされていることを特徴とする請求項１〜６の何れか１項に記載のキャップ。
【発明の詳細な説明】
【技術分野】
【０００１】
本発明は容器の口部に装着されるキャップに関し、特に、容器の内部に空気が入ることを防止しながら、内容物を良好に出すことができるキャップに関するものである。
【０００２】
例えば特許文献１、２には、液体などからなる内容物が内部に収容される容器の口部に装着されるキャップにおいて、容器内に空気が入ることを防止しながら、内容物を良好に出すことができる構造が開示されている。
【０００３】
特許文献１に開示されたキャップは、図１１に示すように、変形可能な容器（この特許文献１では二重容器）６０の口部６１に装着される内蓋体（キャップ本体）６２と、この内蓋体６２の上面に着脱自在とされた上蓋体６３とから構成されている。内蓋体６２には、容器６０の口部６１内に嵌入してこの口部６１を密封する密封栓６４が設けられ、この密封栓６４の頂部に、液体（内容物）を注出する注出筒部６５が形成されている。
【０００４】
内蓋体６２の内側には、密封栓６４の開口した底部を開閉自在に密封する開閉弁体６６が昇降自在に設けられている。内蓋体６２は、密封栓６４の上面部外周から下方に太径の筒状に垂下するように形成されて容器６０の口部６１の内壁面に嵌合する嵌合壁部６８と、密封栓６４の上面部における嵌合壁部６８より内側の内周部分から下方に中太径の筒状に垂下するように形成されて底部が開口されている通過壁部６９と、密封栓６４の上面部にける密封栓６４の中央部から下方に細径の筒状に垂下するように形成されて下面に小径の孔部が開口されている支持筒腕部６７とが一体形成されている。また、密封栓６４の開口した底部に臨む通過壁部６９の内周下端部は、開閉弁体６６に密着可能とされて、内部を密封するよう構成されている一方、通過壁部６９の内周における下端部よりも上方箇所には、内容物である液体を上方に通過させることができる通過溝部（特許文献１の図１など参照）が形成されている。
【０００５】
図１２に示すように、開閉弁体６６には、中央円板部６６ａと、この中央円板部６６ａの中央部から上方に延びて密封栓６４の支持筒腕部６７内に下方から突入される支持軸部６６ｂと、中央円板部６６ａの外周部から上方に筒状に延びて密封栓６４の支持筒腕部６７に外周から嵌合可能とされた保持筒部６６ｃと、保持筒部６６ｃより外周円板状に延びて、密封栓６４の開口した底部を開閉する逆止弁部６６ｄと、保持筒部６６ｃの上面外周から周方向に沿って斜め上方に延びて、当該開閉弁体６６を下方に付勢する複数の弾性部６６ｆとが一体的に形成されている。なお、図１２に示すように、保持筒部６６ｃは上面部に切欠かれた隙間などは有しておらず、この保持筒部６６ｃの上面部から、弾性部６６ｆが周方向に沿いながら斜め上方に延びる形状で形成されている。
【０００６】
このキャップを組立てて製造する際には、内蓋体６２の密封栓６４の内部に開閉弁体６６を嵌め込む必要がある。すなわち、ロボットなどの組立用装置を用いて開閉弁体６６を把持した状態で、密封栓６４の支持腕部６７内に開閉弁体６６の支持軸部６６ｂが嵌り合い、かつ、密封栓６４の通過壁部６９の内周面に開閉弁体６６の中央円板部６６ａの外周部が嵌り合うように正確に位置決めして、内蓋体６２の密封栓６４の内部に開閉弁体６６を嵌め込むことでキャップを組立てる。
【０００７】
このキャップが装着されている容器６０を外側から押圧していわゆるスクイズすると、容器６０内の圧力によって、弾性部６６ｆの付勢力に抗しながら、開閉弁体６６が上昇し、通過溝部を通って注出筒部６５から内容物の液体を注出できるよう構成されている。また、容器６０を外側から押圧する（スクイズする）ことを止めると、弾性部６６ｆの付勢力により開閉弁体６６の逆止弁部６６ｄが通過壁部６９の内周下端部に密着して密封栓６４の開口した底部が閉鎖され、液漏れしない状態に密封される。なお、このキャップが装着される容器６０は二重容器である。この二重容器は、外側の容器に空気を吸入できる吸気弁が設けられており、容器６０を外側から押圧する（スクイズする）ことを止めた際には、前記吸気弁を通して外側の容器と内側の容器との間に空気が流入されるよう構成されている。
【０００８】
特許文献２に開示されたキャップは、図１３に示すように、変形可能な容器８０の口部８１に装着されるキャップ本体８２と、このキャップ本体８２の天面部８４に着脱自在とされた蓋体８３とを備えている。キャップ本体８２には、天面部８４と、この天面部８４の中央部から上方にノズル状に突出して液体を注出する注出筒部８５と、天面部８４の外周寄り箇所から筒状に垂下して容器８０の口部８１に外周側から嵌合する内筒状嵌合部８６と、天面部８４の中央寄り箇所から筒状に垂下して容器８０の口部８１の開口部８１ａに内周側から嵌合する下側筒状壁部８７とが一体形成されている。さらに、下側筒状壁部８７の内部に、吐出孔８８ａを有する円形ベース部８８と吐出孔８８ａを開閉自在な弁部材８９ａを有する逆止弁８９が配設されている。
【０００９】
図１３に示すように、円形ベース部８８は中央に吐出孔８８ａが形成され、円形ベース部８８の外周部は下側筒状壁部８７の内壁部における下端部近傍箇所に密接された状態で配設される。図１４、図１５に示すように、逆止弁８９は、高さが短い筒状とされて下側筒状壁部８７の内壁部に密接された状態で配設される円筒部８９ｂと、この円筒部８９ｂから略半径方向の中心に向けて延びる複数の横弾性片８９ｃと、これらの横弾性片８９ｃの中心部に接続されて円形ベース部８８の吐出孔８８ａを開閉自在な弁部材８９ａとが一体的に形成されている。なお、逆止弁８９における横弾性片８９ｃの間には、弁部材８９ａが開いた際に、内容物の液体が通過する隙間８９ｄが形成されている。また、横弾性片８９ｃは、略半径方向だけでなく中心側が下方に延びた状態で弁部材８９ａに接続されており、これらの横弾性片８９ｃは、弁部材８９ａを下方に付勢して円形ベース部８８の吐出孔８８ａの周囲に密着させるよう構成されている。
【００１０】
このキャップを組立てて製造する際には、キャップ本体８２の下側筒状壁部８７の内部に、まず、逆止弁８９を嵌め込み、さらに、円形ベース部８８を嵌め込むことで、キャップを完成させる。すなわち、ロボットなどの組立用装置を用いて、逆止弁８９を把持した状態で、キャップ本体８２の下側筒状壁部８７の内周面と逆止弁８９の円筒部８９ｂの外周部とが嵌り合うように正確に位置決めして、キャップ本体８２の下側筒状壁部８７の内部にまず、逆止弁８９を嵌め込む。次に、円形ベース部８８を把持した状態で、キャップ本体８２の下側筒状壁部８７の内周面と円形ベース部８８の外周部とが嵌り合うように正確に位置決めして、キャップ本体８２の下側筒状壁部８７の内部にさらに円形ベース部８８を嵌め込むことでキャップを組立てる。
【００１１】
このキャップが装着されている容器８０を外側から押圧していわゆるスクイズすると、容器８０内の圧力によって、横弾性片８９ｃの付勢力に抗しながら、弁部材８９ａが上昇し、吐出孔８８ａおよび隙間８９ｄを通って注出筒部８５から内容物の液体が注出される。また、容器８０を外側から押圧する（スクイズする）ことを止めると、横弾性片８９ｃの付勢力により逆止弁８９の弁部材８９ａが円形ベース部８８の吐出孔８８ａの周囲に密着して吐出孔８８ａが閉鎖され、液漏れしない状態に密封される。
【先行技術文献】
【特許文献】
【００１２】
【特許文献１】実用新案登録第３１９４６６１号公報
【特許文献２】特開２０１３−２４１１９７公報
【発明の概要】
【発明が解決しようとする課題】
【００１３】
しかしながら、前記特許文献１のキャップは構造が（特に、開閉弁体６６の構造が）極めて複雑であるため、製造コストが高価となる課題を有する。また、組立てて製造する際に、ロボットなどの組立用装置を用いて開閉弁体６６を把持した状態で、密封栓６４の支持腕部６７内に開閉弁体６６の支持軸部６６ｂが嵌り合い、かつ、密封栓６４の通過壁部６９の内周面に開閉弁体６６の中央円板部６６ａの外周部が嵌り合うように正確に位置決めしなければならない。したがって、位置決め精度を出すために時間がかかるなど、製造能率が低下するとともに、組立用装置として極めて高価なものが必要となるという課題を有する。
【００１４】
また、前記特許文献２のキャップでも、組立てて製造する際に、ロボットなどの組立用装置を用いて、逆止弁８９を把持した状態で、キャップ本体８２の下側筒状壁部８７の内周面と逆止弁８９の円筒部８９ｂの外周部とが嵌り合うように正確に位置決めしなければならない。また、この後に、円形ベース部８８を把持した状態で、キャップ本体８２の下側筒状壁部８７の内周面と円形ベース部８８の外周部とが嵌り合うように正確に位置決めしなければならない。したがって、このキャップの組立工程でも、位置決め精度を出すために時間がかかるなど、製造能率が低下するとともに、組立用装置として極めて高価なものが必要となるという課題を有する。
【００１５】
本発明は上記課題を解決するもので、容器の内部に空気が入ることを防止しながら、内容物を良好に出すことができるとともに、比較的安価に製造でき、組立時の製造能率が良好なキャップを提供することを目的とするものである。
【課題を解決するための手段】
【００１６】
上記課題を解決するために、本発明のキャップは、可撓性を有する容器の口部に装着されるキャップであって、前記容器の口部に装着されるキャップ本体と、キャップ本体に形成された注出口と、注出口を開閉する蓋とが設けられ、前記キャップ本体の内部に中栓部材が取付けられ、この中栓部材には、容器の内部に通じる吐出孔が形成され、前記中栓部材の吐出孔を開閉可能な円形の弁体を有する逆止弁が、キャップ本体と中栓部材との間の空間に収容され、前記中栓部材は、吐出孔が設けられた円板状底部と、この円板状底部の外周から筒状上方に延びる筒状側壁部とを有する有底筒形状に形成され、前記逆止弁は、前記弁体と、この弁体の外周部から周方向に沿いながら斜め上方に延びて弁体を中栓部材の吐出孔周壁部に密着させる方向に付勢する複数の弾性腕部とを有し、前記逆止弁の弁体に、前記中栓部材の吐出孔に嵌り込む弁体本体部と、この弁本体部の外周側に鍔状に延びて前記中栓部材の吐出孔の周壁部上面に密接可能な鍔状部と、前記鍔状部よりさらに外方に延びる外延部と、が形成され、前記外延部から周方向に沿って斜め上方に延びるように弾性腕部が形成され、前記外延部の外周および前記弾性腕部が前記中栓部材の筒状側壁部内周面に沿う形状に形成されていることを特徴とする。
【００１７】
この構成によれば、逆止弁を有するため、容器の内部に空気が入ることを防止しながら、内容物を良好に出すことが可能となる。また、比較的簡単な構成とすることができるため、製造コストを抑えることが可能となる。しかも、中栓部材が有底筒形状であり、逆止弁は外周側に周方向に沿って延びる複数の弾性腕部が設けられ、前記逆止弁の弁体に、前記中栓部材の吐出孔に嵌り込む弁体本体部と、この弁本体部の外周側に鍔状に延びて前記中栓部材の吐出孔の周壁部上面に密接可能な鍔状部と、前記鍔状部よりさらに外方に延びる外延部と、が形成され、前記外延部から周方向に沿って斜め上方に延びるように弾性腕部が形成され、前記外延部の外周および前記弾性腕部が前記中栓部材の筒状側壁部内周面に沿う形状に形成されているため、当該キャップの製造組立時には、弁体と複数の弾性腕部とを有する逆止弁を、有底筒形状の中栓部材の内部に自然落下させるなどするだけで、逆止弁の弾性腕部および外延部の外周が中栓部材の筒状側壁部により案内されながら容易に収納させることができ、この後、逆止弁が収納された中栓部材をキャップ本体に取り付けるだけで済む。
【００１８】
また、前記中栓部材は、その筒状側壁部が円板状底部から離れるにつれて筒状側壁部間の直径が大きくなる逆円錐台形状に形成されていたり、前記逆止弁の弾性腕部が、前記中栓部材の筒状側壁部に沿うように上方ほど逆止弁の径方向に広がる形状に形成されていたりすることが好ましい。この構成により、逆止弁を中栓部材に収納する際に、逆止弁の弾性腕部がより案内され易くなる。
【００２０】
また、前記外延部を平面視した際に、弾性腕部に対応する箇所が切欠かれて容器内の内容物が通過可能な通路兼用隙間が形成されていることが好ましい。この構成によれば、通路兼用隙間を通して、容器内の内容物を出すことができる。
【００２１】
また、本発明は、前記キャップ本体が、前記注出口を形成する注出筒部が突出される天面部と、この天面部から下方に筒状に垂下される筒状壁部と、を有し、前記筒状壁部の内周に、前記中栓部材の筒状側壁部が周方向で係合された状態で装着されていることを特徴とする。
【００２２】
なお、前記キャップ本体または前記逆止弁に、逆止弁の上昇位置を規制する規制部を形成したり、前記逆止弁の弁体を、前記中栓部材の吐出孔より容器の内部に突出する逆円錐台形状としたりしてもよい。
【発明の効果】
【００２３】
本発明のキャップによれば、容器の口部に装着されるキャップ本体の内部に中栓部材が取付けられ、キャップ本体と中栓部材との間の空間に逆止弁を配設させ、前記中栓部材を有底筒形状に形成し、前記逆止弁は、前記弁体と、この弁体の外周部に沿いながら延びる複数の弾性腕部とを有し、前記逆止弁の弁体に、前記中栓部材の吐出孔に嵌り込む弁体本体部と、この弁本体部の外周側に鍔状に延びて前記中栓部材の吐出孔の周壁部上面に密接可能な鍔状部と、前記鍔状部よりさらに外方に延びる外延部と、を形成し、前記外延部から周方向に沿って斜め上方に延びるように弾性腕部を形成し、前記外延部の外周および前記弾性腕部を前記中栓部材の筒状側壁部内周面に沿う形状に形成することにより、当該キャップの製造組立時に、弁体と複数の弾性腕部とを有する逆止弁を、有底筒形状の中栓部材の内部に自然落下させるなどするだけで、外延部の外周および逆止弁の弾性腕部が中栓部材の筒状側壁部により案内されながら容易に収納させることができる。この結果、厳密な位置合わせなどをすることなく組み立てることができて、組立時の製造能率が良好となる。また、比較的簡単な構成とすることができるため、製造コストを抑えることが可能となる。
【００２４】
また、前記中栓部材を、その筒状側壁部が円板状底部から離れるにつれて筒状側壁部間の直径が大きくなる逆円錐台形状に形成したり、前記逆止弁の弾性腕部を、前記中栓部材の筒状側壁部に沿うように上方ほど逆止弁の径方向に広がる形状に形成したりすることにより、逆止弁を中栓部材に収納する際に、逆止弁の弾性腕部がより良好に案内され易くなり、組立時の製造能率をさらに向上させることができる。
【００２５】
また、外延部を平面視した際に、弾性腕部に対応する箇所が切欠かれて容器内の内容物が通過可能な通路兼用隙間を形成することで、通路兼用隙間を通して、容器内の内容物を出すことができる。したがって、逆止弁や中栓部材に通路兼用隙間を別途に形成しなくても済むため、通路兼用隙間を別途に形成する場合と比較して、逆止弁や中栓部材をコンパクトに製造することが可能となる。また、弾性腕部が変形した際に、通路兼用隙間に入り込むことが可能となり、逆止弁をより薄型化することも可能となる。
【図面の簡単な説明】
【００２６】
【図１】本発明の実施の形態に係るキャップおよび容器の口部などを示す縦断面図であり、蓋を閉じた状態を示す。
【図２】同キャップの全体斜視図で、蓋を開けた状態を示す。
【図３】同キャップの中栓部材の斜視図である。
【図４】同キャップの逆止弁の斜視図である。
【図５】同キャップの逆止弁の正面図である。
【図６】同キャップの中栓部材に逆止弁を収容する状態を示す斜視図である。
【図７】同キャップのキャップ本体に、逆止弁が収容された中栓部材を組付ける状態を示す縦断面図である。
【図８】同キャップを装着した容器から内容物（液体）を注出する状態を示す縦断面図である。
【図９】本発明の実施の形態に係るキャップの変形例を示す要部縦断面図である。
【図１０】本発明の実施の形態に係るキャップの他の変形例を示す要部縦断面図である。
【図１１】従来のキャップの縦断面図である。
【図１２】同従来のキャップの開閉弁体の斜視図である。
【図１３】他の従来のキャップの縦断面図である。
【図１４】同他の従来のキャップの逆止弁の平面図である。
【図１５】同他の従来のキャップの逆止弁の縦断面図である。
【発明を実施するための形態】
【００２７】
以下、本発明の実施の形態に係るキャップを図面に基づき説明する。
図１、図２における１は可撓性を有して変形可能な容器、１０はこの容器１の口部１ａに装着される本発明の実施の形態に係るキャップである。この実施の形態では、容器１が可撓性を有してそれぞれ変形可能な外容器２と内容器３とからなる二重容器である場合を述べるが、これに限るものではなく、単なる可撓性を有して変形可能な容器であってもよい。また、この実施の形態では、二重容器である容器１の外容器２には、外部の空気を吸入できる吸気弁が設けられており、容器１を外側から押圧する（スクイズする）ことを止めた際には、前記吸気弁を通して外容器２と内容器３との間に空気が流入されるよう構成されている。
【００２８】
図１、図２に示すように、本発明の実施の形態に係るキャップ１０は、容器１の口部１ａに装着されるキャップ本体１１と、キャップ本体１１に形成された注出口（注出通路）１２と、注出口１２を開閉する蓋１３と、キャップ本体１１の内部に取付けられる中栓部材３０と、キャップ本体１１と中栓部材３０との間の空間に収容された逆止弁４０と、を備えている。なお、この実施の形態では、キャップ本体１１と蓋１３とが変形自在なヒンジ部１４を介して樹脂などにより一体形成されているとともに接続されているがこれに限るものではない。
【００２９】
キャップ本体１１は、注出口１２が形成されている注出筒部１５と、この注出筒部１５が上方に突出して設けられている平面視略円形の天面部１６と、この天面部１６の外周から下方に筒状に垂下される筒状壁部１７と、この筒状壁部１７の外周から外周側（径方向外側）に延びる上壁部１８と、筒状壁部１７と上壁部１８との接続部分から下方に筒状に延びて容器１の口部１ａの内周面に密接して装着される内周筒状部１９と、上壁部１８の外周から下方に筒状に延びて容器１の口部１ａの外周面に密接して装着される外周筒状部２０と、上壁部１８の外周寄り箇所から上方に筒状（円環状）に延びて蓋１３の下縁部内周面に密接可能な突片部２１と、などが一体形成されている。また、キャップ本体１１の筒状壁部１７の内周面には、中栓部材３０を係止するための係止用爪部１７ａも一体形成されている。蓋１３には、蓋１３を閉じた際に注出筒部１５内の注出口１２内に突入可能とされて注出口１２を閉鎖可能な突起部１３ａや、注出筒部１５の先端に外周から接触可能な外周突部１３ｂなども一体形成されている。
【００３０】
中栓部材３０は、キャップ本体１１の内部（容器１の口部１ａに通じる吐出用通路）に取付けられている。図１および図３に示すように、中栓部材３０は、容器１の内部に通じる吐出孔３１が設けられた円板状底部３２と、この円板状底部３２の外周から筒状上方に延びる筒状側壁部３３とを有する有底筒形状に形成され、筒状側壁部３３の上縁部外周には、中栓部材３０の係止用爪部１７ａに周方向で係合して中栓部材３０を係止する係止用爪部３３ａが形成されている。
【００３１】
図１、図４、図５に示すように、逆止弁４０は、中栓部材３０の吐出孔３１を開閉可能な円形の弁体４１と、この弁体４１の外周部から周方向に沿いながら斜め上方に延びて弁体４１を中栓部材３０の吐出孔３１の周壁部に密着させる方向に付勢する複数（この実施の形態では４つ）の弾性腕部４５とを有しており、樹脂などにより一体形成されている。より詳しくは、逆止弁４０の弁体４１には、中栓部材３０の吐出孔３１に嵌り込む弁体本体部４１ａと、この弁本体部４１ａの外周側に鍔状に延びて中栓部材３０の吐出孔３１の周壁部上面に密接可能な鍔状部４１ｂと、が形成されている。さらに、鍔状部４１ｂが平面視して所定角度毎にさらに外方に延ばされて外延部４２が一体形成され、この外延部４２から上方に延びた後に、周方向に沿って斜め上方に延びるように弾性腕部４５が形成されている。
【００３２】
図１に示すように、逆止弁４０は、キャップ本体１１と中栓部材３０との間の空間に収容された状態で配設される。そして、図１などに簡略的に示すように、弾性腕部４５が中栓部材３０の筒状側壁部３３の内周面に沿う形状に形成されている。また、この実施の形態では、弾性腕部４５の先端部は水平に延ばされ、キャップ本体１１の天面部１６の下面に弾性変形された状態で当接される。そして、弾性腕部４５により、弁体４１を中栓部材３０の吐出孔３１の周壁部に密着させる方向（この実施の形態では下方など）に付勢する。また、図４などに示すように、逆止弁４０の鍔状部４１ｂにおける平面視して弾性腕部４５に対応する箇所が切欠かれて容器１内の内容物が通過可能な通路兼用隙間４６が形成されている。
【００３３】
また、この実施の形態では、図１などに示すように、中栓部材３０の筒状側壁部３３が円板状底部３２から離れるにつれて（すなわち上方ほど）筒状側壁部３３間の直径が大きくなる逆円錐台形状に形成されている。また、これに対応して、逆止弁４０の弾性腕部４５が、中栓部材３０の筒状側壁部３３に沿うように上方ほど逆止弁４０の径方向に広がる形状に形成されている。
【００３４】
また、中栓部材３０の吐出孔３１は容器１の内部に連通する下方側ほど直径が小さくなる円錐台形状に形成され、これに対応して、逆止弁４０の弁体本体部４１ａも下方側ほど直径が小さくなる円錐台形状に形成されている。
【００３５】
当該キャップの製造組立時には、図６に示すように、まず、逆止弁４０を有底筒形状の中栓部材３０の内部に自然落下させるなどする。これにより、逆止弁４０の弾性腕部４５が中栓部材３０の筒状側壁部３３により案内されながら容易に収納させることができる。そして、この後、逆止弁４０が収納された中栓部材３０をキャップ本体１１の内部に上方へ押し込む（内周筒状部１９内から上方に押し込む）だけで、中栓部材３０の係止用爪部３３ａが、キャップ本体１１の筒状壁部１７の係止用爪部１７ａに係合して、中栓部材３０および逆止弁４０を容易に取り付けることができる。
【００３６】
上記構成において、このキャップ１０が装着されている容器１を外側から押圧していわゆるスクイズすると、図８に示すように、容器１内の圧力を受けた内容物によって、弾性腕部４５の付勢力に抗しながら、逆止弁４０の弁体４１が中栓部材３０の吐出孔３１から押し上げられ、弁体４１と円板状底部３２との間の隙間や通路兼用隙間４６を通って、注出口１２から内容物の液体が注出される。また、容器１を外側から押圧する（スクイズする）ことを止めると、弾性腕部４５の付勢力により逆止弁４０の弁体４１が中栓部材３０の吐出孔３１周壁部およびこの周囲の上面部に密着して吐出孔３１が閉鎖され、液漏れしない状態に密封される。なお、この際、逆止弁４０が収納されているキャップ本体１１の注出口１２（注出筒部１５の内部）や、逆止弁４０が収納されている天面部１６と中栓部材３０との間に溜まっていた内容物は、容器１内の陰圧により容器１の内部に戻される。このように、このキャップ１０により、容器１の内部に空気が入ることを防止しながら、内容物を良好に出すことが可能となる。また、比較的簡単な構成であるため、製造コストを抑えることが可能となる。
【００３７】
また、上記構成によれば、中栓部材３０が有底筒形状であり、逆止弁４０は外周側に周方向に沿って延びる複数の弾性腕部４５が設けられているため、当該キャップ１０の製造組立時には、弁体４１と複数の弾性腕部４５とを有する逆止弁４０を、有底筒形状の中栓部材３０の内部に自然落下させるなどするだけで、逆止弁４０の弾性腕部４５が中栓部材３０の筒状側壁部３３により案内されながら容易に収納させることができ、この後、逆止弁４０が収納された中栓部材３０をキャップ本体１１に取り付けるだけで済む。この結果、厳密な位置合わせなどをすることなく組み立てることができて、組立時の製造能率が良好となる。
【００３８】
また、中栓部材３０を、その筒状側壁部３３が円板状底部３２から離れるにつれて筒状側壁部３３間の直径が大きくなる逆円錐台形状に形成したり、逆止弁４０の弾性腕部４５を、中栓部材３０の筒状側壁部３３に沿うように上方ほど逆止弁４０の径方向に広がる形状に形成したりすることにより、逆止弁４０を中栓部材３０に収納する際に、逆止弁４０の弾性腕部４５がより良好に案内され易くなり、組立時の製造能率をさらに向上させることができる。
【００３９】
また、鍔状部４１ｂの外周部から周方向および斜め上方に延びるように弾性腕部４５を形成し、鍔状部４１ｂにおける平面視して弾性腕部４５に対応する箇所が切欠かれて容器１内の内容物が通過可能な通路兼用隙間４６を形成することで、通路兼用隙間４６を通して、容器１内の内容物を良好に出すことができる。したがって、逆止弁や中栓部材に通路兼用隙間を別途に形成しなくても済む（例えば、特許文献１のような通過溝部を設けなくても済む）ため、通路兼用隙間を別途に形成する場合と比較して、逆止弁４０や中栓部材３０をコンパクトに製造することが可能となる。また、弾性腕部４５が変形した際に、通路兼用隙間４６に入り込むことが可能となり、逆止弁４０をより薄型化することも可能となる。すなわち、特許文献１では、保持筒部６６ｃは上面部に切欠かれた隙間などは有しておらず、この保持筒部６６ｃの上面部から、弾性部６６ｆが周方向に沿いながら斜め上方に延びる形状で形成されているため、同じように弾性部６６ｆが変形できるようにするためには、弾性部６６ｆを長く形成するなどしなければならず、その分だけ、開閉弁体６６（逆止弁）が厚肉化（大型化する）するおそれがあるが、本構成によれば、このようなことがない。
【００４０】
また、逆止弁４０において、鍔状部４１ｂにおける平面視して弾性腕部４５に対応する箇所が切欠かれて容器１内の内容物が通過可能な通路兼用隙間４６を形成することで、この逆止弁４０を製造するに際に、上型と下型との比較的構造が簡単な金型により、逆止弁４０を比較的安価に製造することができる利点もある。つまり、特許文献１のように、保持筒部６６ｃは上面部に切欠かれた隙間などは有しておらず、この保持筒部６６ｃの上面部から、弾性部６６ｆが周方向に沿いながら斜め上方に延びる形状で形成されている場合には、このような開閉弁体６６（逆止弁）を、上型と下型との比較的構造が簡単な金型により製造することができないため、上型と下型とに加えて、左右に出退する型も必要となって製造コストが高くなることがあるが、本構成によればこのようなことがない。
【００４１】
また、上記構成によれば、逆止弁４０に設けられている複数の弾性腕部４５が、弁体４１の外周部から周方向に沿いながら斜め上方に延びる形状であるので、容器１が外側から押圧（スクイズ）されて、弁体４１が上方（キャップ本体１１の天面部１６側）に移動する際に、弁体４１が周方向に回転しながら移動する。なお、この場合に、キャップ本体１１に対して逆止弁４０は、その弁体４１が押し上げられる際に弾性腕部４５の上端部でのみキャップ本体１１に接触しているため逆止弁４０全体が回転し易く、逆止弁４０全体が回転する場合もある。これにより、中栓部材３０における吐出口３１の周辺部に、逆止弁４０の弁体４１が片当たりせずに、万遍なく当接し、長期間にわたって液漏れすることを良好に防止できる。
【００４２】
すなわち、特許文献１に開示されている開閉弁体６６でも、円周方向に沿って斜め上方方向に延びる弾性部６６ｆを有しているが、この開閉弁体６６は、図１１に示すように、支持軸部６６ｂが密封栓６４の支持腕部６７により支持されて接触している構造であるため、開閉弁体６６は回転し難い。これに対して、本キャップ１０では、逆止弁４０が回転しやすい構造であるため、長期間にわたって液漏れすることを良好に防止できて、良好な信頼性を長期間にわたって維持することができる。
【００４３】
なお、本実施の形態では、逆止弁４０の弾性腕部４５は、図４に示すように、外延部４２から上方に延びた後に、周方向に沿って斜め上方に延びるように弾性腕部４５が形成されているため、外延部４２からの上方に延びる部分が上下方向に突っ張り易くなり、弁体４１の付勢力を増加できる利点を有する。しかし、この構成に限るものではなく、弾性腕部４５を、外延部４２から上方に延ばす（立設させる）ことなく、周方向に沿って斜め上方に延びるように形成してもよい。
【００４４】
また、図９に示すように、キャップ本体１１に、天面部１６などから下方に延びて、逆止弁４０が上昇した際にこの逆止弁４０の弁体４１などに当接して逆止弁４０の昇降位置を規制する規制部５１を形成してもよい。なお、規制部５１をキャップ本体１１に設ける代わりに逆止弁４０に設けて、逆止弁４０が上昇した際に、キャップ本体１１の天面部１６などに当接して規制するように構成してもよい。
【００４５】
また、図１０に示すように、逆止弁４０の弁体４１の弁本体部４１ａが、中栓部材３０の吐出孔３１より容器１の内部に突出する逆円錐台形状に形成してもよい。なお、図１０にしめすように、複数の段付き部を介して略逆円錐台形状に形成してもよいが、単に下方ほど斜め方向に小さくなるように形成してもよい。このような構成によると、逆止弁４０の弁体４１が容器１の内部に露出する面積が増大するため、場合によっては、容器１を押圧（スクイズ）する際の力を少なくて済ますことが可能となる。
【００４６】
なお、上記の実施の形態では、逆止弁４０の弾性腕部４５が４つである場合を述べたが、これに限るものではなく、２つまたは３つ、あるいは５つ以上設けてもよいことはもちろんである。
【００４７】
また、上記の実施の形態では、キャップ１０として容器１に打栓して装着する形式である場合を図示したが、これに限るものではなく、ねじ込んで容器に装着する、いわゆるスクリュー式のキャップにも適用できる。
【符号の説明】
【００４８】
１      容器
１０    キャップ
１１    キャップ本体
１２    注出口
１３    蓋
１６    天面部
１７    筒状壁部
３０    中栓部材
３１    吐出孔
３２    円板状底部
３３    筒状側壁部
４０    逆止弁
４１    弁体
４５    弾性腕部
４６    通路兼用隙間
５１    規制部
【図１】
0006602088.tif 000002
【図２】
0006602088.tif 000003
【図３】
0006602088.tif 000004
【図４】
0006602088.tif 000005
【図５】
0006602088.tif 000006
【図６】
0006602088.tif 000007
【図７】
0006602088.tif 000008
【図８】
0006602088.tif 000009
【図９】
0006602088.tif 000010
【図１０】
0006602088.tif 000011
【図１１】
0006602088.tif 000012
【図１２】
0006602088.tif 000013
【図１３】
0006602088.tif 000014
【図１４】
0006602088.tif 000015
【図１５】
0006602088.tif 000016